(57)【要約】【課題】機器の負荷変動に関わらず、バッテリーの適切な終止電圧を検出可能にする。【解決手段】終止電圧検出装置１００のローパスフィルタ２は、携帯機器のバッテリー１の電圧の直流成分を取り出し、電圧検出器３は、ローパスフィルタ２で取り出されたバッテリー１の電圧の直流成分を検出する。マイクロコンピュータ４は、電圧検出器３により検出されたバッテリー電圧の値が、予め設定された終止電圧値以下であるか否かを判定し、バッテリー電圧の値が終止電圧値以下であると判定した場合に、携帯機器のシステムを終了させるための制御を行う。【選択図】図１
2005204359.tif 000002
【特許請求の範囲】
【請求項１】
携帯機器のバッテリーの終止電圧を検出する終止電圧検出装置であって、
前記バッテリーの電圧の直流成分を検出する電圧検出器と、
前記電圧検出器により検出されたバッテリー電圧の値が、予め設定された終止電圧値以下であるか否かを判定する判定手段と、
前記判定手段により、前記検出されたバッテリー電圧の値が前記終止電圧値以下であると判定された場合に、前記携帯機器のシステムを終了させる制御手段と、
を備えることを特徴とする終止電圧検出装置。
【請求項２】
携帯機器のバッテリーの終止電圧を検出する終止電圧検出装置であって、
前記バッテリーの電圧の交流成分を検出する第１の検出部と、
前記バッテリーの電圧の直流成分を検出する第２の検出部と、
前記第１の検出部により検出されたバッテリー電圧の交流成分の値が、予め設定された第１の電圧値以下であるか否かを判定する第１の判定手段と、
前記第２の検出部により検出されたバッテリー電圧の直流成分の値が、予め設定された第２の電圧値以下であるか否かを判定する第２の判定手段と、
前記第１の判定手段によりバッテリー電圧の交流成分の値が前記第１の電圧値以下であると判定された場合又は前記第２の判定手段によりバッテリー電圧の直流成分の値が前記第２の電圧値以下であると判定された場合、前記携帯機器のシステムを終了させる制御手段と、
を備えることを特徴とする終止電圧検出装置。
【請求項３】
携帯機器のバッテリーの終止電圧を検出する終止電圧検出装置であって、
前記バッテリーの電圧の交流成分を検出する第１の検出部と、
前記バッテリーの電圧の直流成分を検出する第２の検出部と、
前記第１の検出部により検出されたバッテリー電圧の交流成分の値と、前記第２の検出部により検出されたバッテリー電圧の直流成分の値の差分の絶対値が、予め設定された値より大きいか否かを判定する判定手段と、
前記判定手段により、前記差分の絶対値が前記予め設定された値より大きいと判定された場合、前記携帯機器のシステムを終了させる制御手段と、
を備えることを特徴とする終止電圧検出装置。
【請求項４】
前記第１の検出部により検出されたバッテリー電圧の交流成分の値と、前記第２の検出部により検出されたバッテリー電圧の直流成分の値の差分を検出する差分電圧検出回路を備え、
前記判定手段は、前記差分電圧検出回路により検出された差分の絶対値が前記予め設定された値より大きいか否かを判定することを特徴とする請求項３に記載の終止電圧検出装置。
【請求項５】
携帯機器のバッテリーの終止電圧を検出する終止電圧検出装置であって、
前記バッテリーの電圧の交流成分を検出する第１の検出部と、
前記第１の検出部により検出された交流成分のバッテリー電圧から、振幅が予め設定された値より大きいバッテリー電圧を検出する第２の検出部と、
前記第２の検出部により振幅が予め設定された値より大きいバッテリー電圧が検出された場合、前記携帯機器のシステムを終了させる制御手段と、
を備えることを特徴とする終止電圧検出装置。
【請求項６】
携帯機器のバッテリーの終止電圧を検出する終止電圧検出装置であって、
前記バッテリーの電圧の直流成分を検出する第１の検出部と、
前記第１の検出部により検出されたバッテリー電圧の値が、予め設定された終止電圧値以下であるか否かを判定する判定手段と、
前記判定手段により、前記第１の検出部により検出されたバッテリー電圧の値が予め設定された終止電圧値以下であると判定された場合に、前記携帯機器のシステムを終了させる制御手段と、
前記バッテリーの電圧の交流成分を検出する第２の検出部と、
前記第２の検出部により検出された検出された交流成分のバッテリー電圧から、振幅が予め設定された値より大きいバッテリー電圧を検出する第３の検出部と、
前記第３の検出部により振幅が予め設定された値より大きいバッテリー電圧が検出された場合、前記終止電圧値を変化させる終止電圧制御部と、を備え、
前記判定手段は、前記第１の検出部により検出されたバッテリー電圧の値が、前記終止電圧制御部により決定された終止電圧値以下であるか否かを判定し、
前記制御手段は、前記判定手段により、前記第１の検出部により検出されたバッテリー電圧の値が前記終止電圧制御部により決定された終止電圧値以下であると判定された場合に、前記携帯機器のシステムを終了させることを特徴とする終止電圧検出装置。
【請求項７】
携帯機器のバッテリーの終止電圧を検出する終止電圧検出装置であって、
前記携帯機器の動作状況に基づいて、当該携帯機器の負荷状態が軽負荷であるか重負荷であるかを判別する判別手段と、
前記バッテリーの電圧を検出する検出手段と、
前記判別手段により軽負荷状態であると判別されたときに前記検出手段により検出されたバッテリー電圧の値が、予め設定された終止電圧値以下であるか否かを判定する判定手段と、
前記判定手段により、前記軽負荷状態のバッテリー電圧の値が前記終止電圧値以下であると判定された場合、前記携帯電話のシステムを終了させる終了動作制御手段と、
を備えることを特徴とする終止電圧検出装置。
【請求項８】
前記軽負荷状態のバッテリー電圧の値と、前記判別手段により重負荷状態であると判別されたときに前記検出手段により検出されたバッテリー電圧の値との差の絶対値を算出する算出手段と、
前記算出手段により算出された差の絶対値が予め設定された値より大きいか否かを判定する差分判定手段と、
前記差分判定手段により前記算出された差の絶対値が予め設定された値より大きいと判定された場合、前記終止電圧値を変化させる終止電圧制御手段と、を備え、
前記判定手段は、前記軽負荷状態のバッテリー電圧の値が、前記終止電圧制御手段により決定された終止電圧値以下であるか否かを判定し、
前記動作制御手段は、前記判定手段により、前記軽負荷状態のバッテリー電圧の値が前記終止電圧制御手段により決定された終止電圧値以下であると判定された場合に、前記携帯機器のシステムを終了させることを特徴とする請求項７に記載の終止電圧検出装置。
【発明の詳細な説明】
【技術分野】
【０００１】
本発明は、携帯機器のバッテリーの終止電圧を検出する終止電圧検出装置に関する。
【背景技術】
【０００２】
近年、デジタルカメラ、携帯電話等の携帯機器におけるシステムの電源ＯＮ／ＯＦＦは、サブマイクロコンピュータ(Sub-microcomputer)等へのキー入力により実現している場合が多い。携帯機器では、このサブマイクロコンピュータ等を利用して、バッテリーの末期状態を検出している。
【０００３】
バッテリーの電圧の検出には、例えば、電圧検出器（所定の電圧値を下回ったら出力するＩＣ）を利用してバッテリー電圧をモニタしたり、バッテリー電圧を所定間隔でＡ／Ｄ変換してモニタしたりする方法がある（例えば、特許文献１参照。）。従来の携帯機器では、これらの方法を用いてモニタされたバッテリー電圧が予め設定された電圧値まで下がったら、バッテリーの末期状態と認識し、自動的にシステムを終了させる動作に移行している。
【特許文献１】特開平９−２１９８０９号公報
【発明の開示】
【発明が解決しようとする課題】
【０００４】
図１３に、バッテリー電圧の放電特性を示す。バッテリー電圧の放電特性とは、図１３に示すように、機器の使用時間とバッテリーの電圧値との関係を示すものである。図１３に示すように、バッテリー電圧は、重負荷時（例えば、デジタルカメラのモータ駆動時等）の負荷変動によって突発的に予め決められた終止電圧Ｖend以下に落ち込むことがある。しかしながら、従来の携帯機器では、負荷変動によるバッテリー電圧の突発的な割り込み（落ち込み）であっても、バッテリー電圧が終止電圧Ｖend以下になった時点で、バッテリーの末期状態と認識され、システムの電源がＯＦＦになってしまうため、結果的にバッテリーの寿命を短くしてしまうという問題があった。
【０００５】
本発明の課題は、機器の負荷変動に関わらず、バッテリーの適切な終止電圧を検出可能にすることである。
【課題を解決するための手段】
【０００６】
上記課題を解決するため、請求項１に記載の発明は、携帯機器のバッテリーの終止電圧を検出する終止電圧検出装置であって、前記バッテリーの電圧の直流成分を検出する電圧検出器と、前記電圧検出器により検出されたバッテリー電圧の値が、予め設定された終止電圧値以下であるか否かを判定する判定手段と、前記判定手段により、前記検出されたバッテリー電圧の値が前記終止電圧値以下であると判定された場合に、前記携帯機器のシステムを終了させる制御手段と、を備えることを特徴としている。
【０００７】
請求項２に記載の発明は、携帯機器のバッテリーの終止電圧を検出する終止電圧検出装置であって、前記バッテリーの電圧の交流成分を検出する第１の検出部と、前記バッテリーの電圧の直流成分を検出する第２の検出部と、前記第１の検出部により検出されたバッテリー電圧の交流成分の値が、予め設定された第１の電圧値以下であるか否かを判定する第１の判定手段と、前記第２の検出部により検出されたバッテリー電圧の直流成分の値が、予め設定された第２の電圧値以下であるか否かを判定する第２の判定手段と、前記第１の判定手段によりバッテリー電圧の交流成分の値が前記第１の電圧値以下であると判定された場合又は前記第２の判定手段によりバッテリー電圧の直流成分の値が前記第２の電圧値以下であると判定された場合、前記携帯機器のシステムを終了させる制御手段と、を備えることを特徴としている。
【０００８】
請求項３に記載の発明は、携帯機器のバッテリーの終止電圧を検出する終止電圧検出装置であって、前記バッテリーの電圧の交流成分を検出する第１の検出部と、前記バッテリーの電圧の直流成分を検出する第２の検出部と、前記第１の検出部により検出されたバッテリー電圧の交流成分の値と、前記第２の検出部により検出されたバッテリー電圧の直流成分の値の差分の絶対値が、予め設定された値より大きいか否かを判定する判定手段と、前記判定手段により、前記差分の絶対値が前記予め設定された値より大きいと判定された場合、前記携帯機器のシステムを終了させる制御手段と、を備えることを特徴としている。
【０００９】
また、請求項４に記載の発明のように、請求項３に記載の終止電圧検出装置において、前記第１の検出部により検出されたバッテリー電圧の交流成分の値と、前記第２の検出部により検出されたバッテリー電圧の直流成分の値の差分を検出する差分電圧検出回路を備え、前記判定手段は、前記差分電圧検出回路により検出された差分の絶対値が前記予め設定された値より大きいか否かを判定するようにしてもよい。
【００１０】
請求項５に記載の発明は、携帯機器のバッテリーの終止電圧を検出する終止電圧検出装置であって、前記バッテリーの電圧の交流成分を検出する第１の検出部と、前記第１の検出部により検出された交流成分のバッテリー電圧から、振幅が予め設定された値より大きいバッテリー電圧を検出する第２の検出部と、前記第２の検出部により振幅が予め設定された値より大きいバッテリー電圧が検出された場合、前記携帯機器のシステムを終了させる制御手段と、を備えることを特徴としている。
【００１１】
請求項６に記載の発明は、携帯機器のバッテリーの終止電圧を検出する終止電圧検出装置であって、前記バッテリーの電圧の直流成分を検出する第１の検出部と、前記第１の検出部により検出されたバッテリー電圧の値が、予め設定された終止電圧値以下であるか否かを判定する判定手段と、前記判定手段により、前記第１の検出部により検出されたバッテリー電圧の値が予め設定された終止電圧値以下であると判定された場合に、前記携帯機器のシステムを終了させる制御手段と、前記バッテリーの電圧の交流成分を検出する第２の検出部と、前記第２の検出部により検出された検出された交流成分のバッテリー電圧から、振幅が予め設定された値より大きいバッテリー電圧を検出する第３の検出部と、前記第３の検出部により振幅が予め設定された値より大きいバッテリー電圧が検出された場合、前記終止電圧値を変化させる終止電圧制御部と、を備え、前記判定手段は、前記第１の検出部により検出されたバッテリー電圧の値が、前記終止電圧制御部により決定された終止電圧値以下であるか否かを判定し、前記制御手段は、前記判定手段により、前記第１の検出部により検出されたバッテリー電圧の値が前記終止電圧制御部により決定された終止電圧値以下であると判定された場合に、前記携帯機器のシステムを終了させることを特徴としている。
【００１２】
請求項７に記載の発明は、携帯機器のバッテリーの終止電圧を検出する終止電圧検出装置であって、前記携帯機器の動作状況に基づいて、当該携帯機器の負荷状態が軽負荷であるか重負荷であるかを判別する判別手段と、前記バッテリーの電圧を検出する検出手段と、前記判別手段により軽負荷状態であると判別されたときに前記検出手段により検出されたバッテリー電圧の値が、予め設定された終止電圧値以下であるか否かを判定する判定手段と、前記判定手段により、前記軽負荷状態のバッテリー電圧の値が前記終止電圧値以下であると判定された場合、前記携帯電話のシステムを終了させる終了動作制御手段と、を備えることを特徴としている。
【００１３】
また、請求項８に記載の発明のように、請求項７に記載の終止電圧検出装置において、前記軽負荷状態のバッテリー電圧の値と、前記判別手段により重負荷状態であると判別されたときに前記検出手段により検出されたバッテリー電圧の値との差の絶対値を算出する算出手段と、前記算出手段により算出された差の絶対値が予め設定された値より大きいか否かを判定する差分判定手段と、前記差分判定手段により前記算出された差の絶対値が予め設定された値より大きいと判定された場合、前記終止電圧値を変化させる終止電圧制御手段と、を備え、前記判定手段は、前記軽負荷状態のバッテリー電圧の値が、前記終止電圧制御手段により決定された終止電圧値以下であるか否かを判定し、前記動作制御手段は、前記判定手段により、前記軽負荷状態のバッテリー電圧の値が前記終止電圧制御手段により決定された終止電圧値以下であると判定された場合に、前記携帯機器のシステムを終了させるようにしてもよい。
【発明の効果】
【００１４】
請求項１に記載の発明によれば、バッテリー電圧の直流成分が終止電圧値以下である場合に、システムを終了させるようにしたことにより、携帯機器の負荷変動によるバッテリー電圧の交流成分が無視され、バッテリーの適切な終止電圧を検出することが可能になる。従って、バッテリーの寿命を延ばすことが可能になる。
【００１５】
請求項２に記載の発明によれば、バッテリー電圧の直流成分が終止電圧値以下である場合又はバッテリー電圧の交流成分が予め設定された電圧値以下である場合に、システムを終了させるようにしたことにより、バッテリーの適切な終止電圧を検出することが可能になる。
【００１６】
請求項３に記載の発明によれば、バッテリー電圧の直流成分と交流成分との差分の絶対値が予め設定された値より大きい場合にシステムを終了させるようにしたことにより、バッテリーの適切な終止電圧を検出することが可能になる。
【００１７】
請求項５に記載の発明によれば、バッテリー電圧の交流成分の振幅が予め設定された値より大きい場合にシステムを終了させるようにしたことにより、バッテリーの適切な終止電圧を検出することが可能になる。
【００１８】
請求項６に記載の発明によれば、バッテリー電圧の交流成分の振幅が予め設定された値より大きい場合に、終止電圧値を変更可能にしたことにより、バッテリーの適切な終止電圧を検出することが可能になるとともに、より自然にシステムを終了させることができる。
【００１９】
請求項７に記載の発明によれば、携帯機器の軽負荷であるか重負荷であるかを判別し、軽負荷状態である場合のバッテリー電圧の値が終止電圧値以下である場合にシステムを終了させるようにしたことにより、バッテリーの適切な終止電圧を検出することが可能になる。
【発明を実施するための最良の形態】
【００２０】
以下、図面を参照して、本発明の実施形態について詳細に説明する。
（実施形態１）
図１を参照して、本発明に係る実施形態１について詳細に説明する。まず、本実施形態１における構成について説明する。本実施形態１では、図１３に示すようなバッテリーの放電特性と、システムを終了させるための基準となる終止電圧（以下、通常終止電圧値Ｖendという。）が予め設定されているものとする。
【００２１】
図１に、実施形態１の終止電圧検出装置１００の構成を示す。終止電圧検出装置１００は、デジタルカメラ、携帯電話等の携帯機器に搭載され、図１に示すように、バッテリー１、ローパスフィルタ２、電圧検出器３、マイクロコンピュータ４により構成される。
【００２２】
バッテリー１は、終止電圧検出装置１００が搭載される携帯機器の各部に電源を供給する。ローパスフィルタ２は、抵抗とコンデンサにより構成され、バッテリー１の電圧の直流成分を検出し、電圧検出器３に出力する。以下では、ローパスフィルタ２で検出された直流成分のバッテリー電圧を通常電圧と呼ぶことにする。電圧検出器３は、ローパスフィルタ２から入力された通常電圧を検出し、マイクロコンピュータ４に出力する。
【００２３】
マイクロコンピュータ４は、電圧検出器３により検出されたバッテリー電圧の値が、予め設定された通常終止電圧値Ｖend以下であるか否かを判定し、その検出されたバッテリー電圧の値が通常終止電圧値Ｖend以下であると判定した場合に、携帯機器のシステムを終了させるための制御を行う。
【００２４】
次に、本実施形態１における動作について説明する。
まず、ローパスフィルタ２により、バッテリー１の電圧の直流成分（通常電圧）が検出され、電圧検出器３に出力される。電圧検出器３では、ローパスフィルタ２から出力された通常電圧が検出され、検出された通常電圧の値がマイクロコンピュータ４に出力される。
【００２５】
マイクロコンピュータ４では、電圧検出器３から入力された通常電圧の値が、予め設定された通常終止電圧値Ｖend以下であるか否かが判定される。電圧検出器３で検出された通常電圧の値が通常終止電圧値Ｖendより大きいと判定された場合は、携帯機器のシステム動作は続行される。電圧検出器３で検出された通常電圧の値が通常終止電圧値Ｖend以下であると判定された場合は、携帯機器のシステムが終了する。
【００２６】
以上のように、実施形態１の終止電圧検出装置１００によれば、ローパスフィルタ２によりバッテリー１の直流成分のみを検出することにより、負荷変動によるバッテリー電圧の突発的な割り込みが無視され、バッテリー１の適切な終止電圧を検出することが可能になる。従って、バッテリー１の寿命を延ばすことが可能になる。
【００２７】
<変形例１>
図２に、実施形態１の変形例１の終止電圧検出装置１０１の構成を示す。上述の実施形態１では、ローパスフィルタ２から出力された通常電圧を電圧検出器３でモニタするようにしたが、変形例１の終止電圧検出装置１０１では、マイクロコンピュータ５にＡ／Ｄ変換器５ａを設け、通常電圧を電圧検出器３でモニタする代わりに、通常電圧をＡ／Ｄ変換器５ａでデジタル変換してモニタするようにしている。
【００２８】
<変形例２>
上述の実施形態１及び変形例１では、バッテリー電圧の突発的な割り込みの特性が図１３に示すような放電特性に従っているものとして、ローパスフィルタ２から出力された通常電圧のみをモニタして終止電圧を検出するようにした。しかしながら、図３に示すように、種々の環境の下では、同一のバッテリーであっても、バッテリー電圧の突発的な割り込みの特性に多少の違いが出てくる。例えば、図３において、Ａ環境は、Ｂ環境に比べてバッテリー電圧の割り込み量が多い。ここで、割り込み量とは、バッテリー電圧の交流成分の振幅を示す。そこで、実施形態１の変形例２では、通常電圧だけでなく、バッテリー電圧の突発的な割り込みもモニタし、割り込み電圧の値が所定値以下になった場合にもシステムを終了するようにする終止電圧検出装置について説明する。ここで、割り込み電圧とは、通常電圧から割り込み量を差し引いた電圧である。
【００２９】
図４に、実施形態１の変形例２の終止電圧検出装置１０２の構成を示す。終止電圧検出装置１０２において、電圧検出器６は、バッテリー１の割り込み電圧を検出する。マイクロコンピュータ７は、Ａ／Ｄ変換器７ａを有し、Ａ／Ｄ変換器７ａにより、ローパスフィルタ２から出力される通常電圧及び電圧検出器６での検出電圧をデジタル変換することによって、通常電圧及び割り込み電圧をモニタする。
【００３０】
マイクロコンピュータ７は、通常電圧が予め設定された通常終止電圧値Ｖend以下であるか否かを判定するとともに、電圧検出器６で検出された割り込み電圧が予め設定された許容割込電圧最大値Ｖsag-end以下であるか否かを判定する。ここで、許容割込電圧最大値とは、システムが許容する割り込み電圧の最大値であり、割り込み電圧値がこの許容割込電圧最大値以下になるとシステムが終了する。マイクロコンピュータ７は、通常電圧が予め設定された通常終止電圧値Ｖend以下になるか、割り込み電圧が予め設定された許容割込電圧最大値Ｖsag-end以下になったと判定した場合に、携帯機器のシステムを終了させるための制御を行う。
【００３１】
例えば、図３に示すようなＡ環境では、割り込み電圧が許容割込電圧最大値Ｖsag-end以下になったと判定された場合にシステムが終了になり、Ｂ環境では、通常電圧が通常終止電圧値Ｖend以下になったと判定された場合にシステムが終了になる。このように、通常電圧及び割り込み電圧をモニタすることで、より安全に携帯機器のシステムを終了させることができる。
【００３２】
（実施形態２）
次に、図５及び図６を参照して、本発明に係る実施形態２について詳細に説明する。
図５に、バッテリーの種類別の放電特性の一例を示す。図５に示すように、携帯機器に使用するバッテリーによって、放電特性、許容割込電圧最大値が異なるが、何れのバッテリーも、バッテリー電圧が減少するにつれ、バッテリー電圧の割り込み量が増えていくという共通の性質を有する。本実施形態２では、この性質を利用して、通常電圧、割り込み電圧の値をモニタするのではなく、バッテリー電圧の通常電圧からの割り込み量をモニタすることによって終止電圧を検出する終止電圧検出装置２００について説明する。
【００３３】
まず、実施形態２における構成について説明する。
図６に、実施形態２の終止電圧検出装置２００の構成を示す。終止電圧検出装置２００は、図６に示すように、バッテリー１、ローパスフィルタ２、Ａ／Ｄ変換器８、Ａ／Ｄ変換器９、差分電圧検出回路１０、マイクロコンピュータ１１により構成される。なお、終止電圧検出装置２００の各部のうち、実施形態１と同一の構成部分には同一の符号を付し、その説明を省略する。
【００３４】
Ａ／Ｄ変換器８は、ローパスフィルタ２から入力された通常電圧の値をデジタル変換し、デジタル変換後の通常電圧値Ｖnを差分電圧検出回路１０に出力する。Ａ／Ｄ変換器９は、バッテリー１の電圧値をデジタル変換し、デジタル変換後の電圧値から割り込み電圧値Ｖanを検出し、差分電圧検出回路１０に出力する。
【００３５】
差分電圧検出回路１０は、Ａ／Ｄ変換器８から入力された電圧値Ｖnと、Ａ／Ｄ変換器９から入力された電圧値Ｖanとの差分Ｖn−Ｖanを検出し、マイクロコンピュータ１１に出力する。
【００３６】
マイクロコンピュータ１１は、差分電圧検出回路１０から入力された差分Ｖn−Ｖanの絶対値が予め設定された値ｘより大きいか否かを判定する。マイクロコンピュータ１１は、｜Ｖn−Ｖan｜＞ｘであると判定した場合、携帯機器のシステムを終了させるための制御を行う。
【００３７】
次に、本実施形態２における動作について説明する。
まず、ローパスフィルタ２により、バッテリー１の電圧の直流成分（通常電圧）が検出され、Ａ／Ｄ変換器８により、ローパスフィルタ２で検出された通常電圧の値がデジタル変換され、デジタル変換により得られた通常電圧値Ｖnが差分検出回路１０に出力される。Ａ／Ｄ変換器９では、バッテリー１の電圧の値がデジタル変換され、デジタル変換により得られた電圧値から割り込み電圧値Ｖanが検出され、差分検出回路１０に出力される。
【００３８】
差分検出回路１０では、Ａ／Ｄ変換器８から入力された電圧値Ｖnと、Ａ／Ｄ変換器９から入力された電圧値Ｖanとの差分Ｖn−Ｖanが検出され、マイクロコンピュータ１１に出力される。マイクロコンピュータ１１では、差分電圧検出回路１０から入力された差分Ｖn−Ｖanの絶対値が設定値ｘより大きいか否かが判定される。｜Ｖn−Ｖan｜≦ｘであると判定された場合は、携帯機器のシステム動作が続行され、｜Ｖn−Ｖan｜＞ｘであると判定された場合は、携帯機器のシステムが終了する。
【００３９】
以上のように、実施形態２の終止電圧検出装置２００によれば、通常電圧値と割り込み電圧値との差分を検出する差分検出回路を設け、当該差分の絶対値が設定値より大きい場合にシステムを終了させるようにしたため、バッテリー別に通常終止電圧Ｖendや許容割込電圧最大値Ｖsag-endを設定する必要がなく、様々な放電特性を有するバッテリーにおいても、適切な終止電圧を検出することが可能になり、バッテリーの寿命を延ばすことが可能になる。
【００４０】
〈変形例〉
上述の実施形態２では、２つのＡ／Ｄ変換器と、差分電圧検出回路１０により、通常電圧値Ｖnと割り込み電圧値Ｖanの差分、即ち、割り込み量を検出するようにしたが、割り込み量の検出方法は、これに限定されない。
【００４１】
図７に、実施形態２の変形例における終止電圧検出装置２０１の構成を示す。終止電圧検出装置２０１は、図７に示すように、バッテリー１、ローパスフィルタ２、コンデンサ１２、バイアス回路１３、電圧検出器１４、マイクロコンピュータ１５により構成される。なお、終止電圧検出装置２０１を構成する各部のうち、実施形態１、実施形態２と同一の構成部分には同一の符号を付し、その説明を省略する。
【００４２】
コンデンサ１２は、バッテリー１の電圧の交流成分を検出する。図７の点Ｘにおけるバッテリー電圧Ｖbattの波形を図７（ａ）に示す。バイアス回路１３は、直列に接続された２つの抵抗から構成され、コンデンサ１２から入力される交流成分の電圧値をバイアス電圧値Ｖbiasにクランプする。バイアス回路１３の点Ｙにおける電圧の波形を図７（ｂ）に示す。
【００４３】
電圧検出器１４は、バイアス回路１３から入力される交流成分の電圧のうち、割り込み量（振幅）が、バイアス電圧Ｖbiasと予め設定された設定電圧Ｖdatとの差ΔＶ＝Ｖbias−Ｖdat（Ｖbias＞Ｖdat）より大きい電圧を検出し、検出信号をマイクロコンピュータ１５に出力する。
【００４４】
マイクロコンピュータ１５は、Ａ／Ｄ変換器１５ａを有し、ローパスフィルタ２から入力される通常電圧をデジタル変換する。また、マイクロコンピュータ１５は、電圧検出器１４から、バッテリー電圧の割り込み量がΔＶより大きいことを示す検出信号が入力されると、携帯機器のシステムを終了させる制御を行う。
【００４５】
図７に示す終止電圧検出装置２０１では、実施形態２の終止電圧検出装置２００よりも簡易な回路構成で終止電圧を検出することが可能になる。
【００４６】
（実施形態３）
次に、図８及び図９を参照して、本発明に係る実施形態３について詳細に説明する。本実施形態３では、バッテリー電圧の割り込み量が所定値より大きい場合に通常終止電圧を変更する終止電圧検出装置３００について説明する。
【００４７】
まず、実施形態３における構成について説明する。
図８に、実施形態３の終止電圧検出装置３００の構成を示す。終止電圧検出装置３００は、図８に示すように、バッテリー１、コンデンサ１２、バイアス回路１３、電圧検出器１６、フリップフロップ１７、マイクロコンピュータ１８、直流成分検出部１９により構成される。なお、終止電圧検出装置３００の各部のうち、上述の実施形態１、実施形態２、各変形例と同一の構成部分には同一の符号を付し、その説明を省略する。
【００４８】
電圧検出器１６は、バイアス回路１３から入力される交流成分の電圧のうち、割り込み量（振幅）が、バイアス電圧Ｖbiasと予め設定された設定電圧Ｖdatとの差ΔＶ＝Ｖbias−Ｖdat（Ｖbias＞Ｖdat）より大きい電圧を検出し、検出信号をフリップフロップ１７に出力する。
【００４９】
フリップフロップ１７は、電圧検出器１６から検出信号が入力されていない通常時は、Ｈレベル（ハイレベル）の信号を、直流成分検出部１９のダイオードＤ１のカソードに出力し、電圧検出器１６から検出信号が入力された時は、Ｌレベル（ローレベル）の信号をダイオードＤ１のカソードに出力する。フリップフロップ１７は、携帯機器の電源投入時等にマイクロコンピュータ１８から入力されるシステムリセット信号によりリセットされる。
【００５０】
マイクロコンピュータ１８は、Ａ／Ｄ変換器１８ａを有し、直流成分検出部１９から入力されるバッテリー電圧の直流成分（通常電圧）をデジタル変換する。また、マイクロコンピュータ１８は、Ａ／Ｄ変換器１８ａで得られた通常電圧値が通常終止電圧値Ｖend以下であるか否かを判定し、通常電圧値が通常終止電圧値Ｖend以下であると判定した場合に、携帯機器のシステムを終了させるための制御を行う。
【００５１】
直流成分検出部１９は、抵抗Ｒ１、Ｒ２、Ｒ３、ダイオードＤ１、コンデンサＣにより構成され、バッテリー１の電圧から直流成分を検出し、検出された直流成分のバッテリー電圧を通常電圧としてマイクロコンピュータ１８に出力する。ダイオードＤ１のカソード側は、フリップフロップ１７に接続されている。フリップフロップ１７からダイオードＤ１のカソードにＨレベルの信号が入力されている間、抵抗Ｒ３は無効となり、バッテリー１の電圧は、抵抗Ｒ１とＲ２により分圧される。フリップフロップ１７からダイオードＤ１のカソードにＬレベルの信号が入力された時、抵抗Ｒ３が有効になり、バッテリー１の電圧は、抵抗Ｒ１、Ｒ２、Ｒ３により分圧される。
【００５２】
従って、ダイオードＤ１のカソードにＬレベルの信号が入力された時（即ち、バッテリー電圧の割り込み量がΔＶより大きくなった時）にマイクロコンピュータ１８に入力される通常電圧は、ダイオードＤ１のカソードにＨレベルの信号が入力されている時（即ち、バッテリー電圧の割り込み量がΔＶ以下の場合）よりも小さくなる。よって、バッテリー電圧の割り込み量がΔＶより大きくなった時、Ａ／Ｄ変換器１８ａで得られる通常電圧の値は下がることになる。これは、図９の点線Ｌに示すように、バッテリー電圧の割り込み量ΔＶmがΔＶより大きくなった時に、通常電圧の値をシフトさせずに、通常終止電圧値Ｖendの値を上げるすることと同等である。このように、フリップフロップ１７と直流成分検出部１９は、通常終止電圧値Ｖendを変化させるための終止電圧制御部として機能する。
【００５３】
次に、本実施形態３における動作について説明する。
バッテリー電圧の割り込み量がΔＶ以下である間、直流成分検出部１９のダイオードＤ１のカソードにＨレベルの信号が入力され、バッテリー１の電圧は抵抗Ｒ１とＲ２により分圧され、その分圧されたバッテリー電圧が通常電圧としてＡ／Ｄ変換器１８ａに出力される。マイクロコンピュータ１８では、Ａ／Ｄ変換器１８ａで得られた通常電圧値が通常終止電圧値Ｖend以下であるか否かが判定される。通常電圧値が通常終止電圧値Ｖendより大きいと判定された場合、携帯機器のシステム動作は続行される。通常電圧値が通常終止電圧値Ｖend以下であると判定された場合、携帯機器のシステムが終了する。
【００５４】
バッテリー電圧の割り込み量がΔＶより大きくなると、直流成分検出部１９のダイオードＤ１のカソードにＬレベルの信号が入力され、バッテリー１の電圧は抵抗Ｒ１、Ｒ２、Ｒ３により分圧され、その分圧されたバッテリー電圧が通常電圧としてＡ／Ｄ変換器１８ａに出力される。マイクロコンピュータ１８では、Ａ／Ｄ変換器１８ａで得られた通常電圧値が通常終止電圧値Ｖend以下であるか否かが判定される。通常電圧値が通常終止電圧値Ｖendより大きいと判定された場合、携帯機器のシステム動作は続行される。通常電圧値が通常終止電圧値Ｖend以下であると判定された場合、携帯機器のシステムが終了する。
【００５５】
以上のように、実施形態３の終止電圧検出装置３００によれば、バッテリー電圧の割り込み量が予め設定された量ΔＶを超えた時、通常終止電圧値Ｖendを上げるようにしたことにより、より自然にシステムを終了させることができる。
【００５６】
（実施形態４）
次に、図１０〜図１２を参照して、本発明に係る実施形態４について詳細に説明する。  まず、実施形態４における構成について説明する。
【００５７】
図１０に、実施形態４の終止電圧検出装置４００の構成を示す。終止電圧検出装置４００は、図１０に示すように、バッテリー１とマイクロコンピュータ２０により構成される。
【００５８】
マイクロコンピュータ２０は、Ａ／Ｄ変換器２０ａを有し、バッテリー１の電圧をデジタル変換する。また、マイクロコンピュータ２０は、携帯機器の動作状況から、現在携帯機器の負荷状態が軽負荷であるか重負荷であるかを判別し、それぞれの負荷状態でのバッテリー１の電圧値を図示しないメモリに保持する。例えば、終止電圧検出装置４００が搭載された携帯機器がデジタルカメラの場合、ズームモータを動作させる瞬間が重負荷状態として判別され、特別な動作をしていない時は軽負荷状態として判別される。
【００５９】
また、マイクロコンピュータ２０は、軽負荷状態のバッテリー電圧値と重負荷状態のバッテリー電圧値の差の絶対値が予め設定された値より大きいか否かを判定し、両負荷状態でのバッテリー電圧値の差の絶対値が予め設定された値より大きいと判定した場合に、通常終止電圧値Ｖendを所定の値だけ大きくする。そして、軽負荷時のバッテリー電圧値が現在の通常終止電圧値Ｖend以下であるか否かを判定し、軽負荷時のバッテリー電圧値が通常終止電圧値Ｖend以下であると判定した場合に、携帯機器のシステムを終了させるための制御を行う。
【００６０】
次に、実施形態４における動作について説明する。
図１１のフローチャート及び図１２を参照して、終止電圧検出装置４００により実行される終止電圧検出処理について説明する。なお、終止電圧検出装置４００が搭載された携帯機器には、バッテリーＡ、Ｂ、Ｃ、Ｄの何れも使用可能であるものとする。図１２に、各バッテリーの放電特性を示す。また、以下では、携帯機器の通常終止電圧値Ｖendの初期値がＶ２であるものとする。
【００６１】
まず、携帯機器の動作状況から、現在の負荷状態が軽負荷状態であるか否かが判定される（ステップＳ１）。ステップＳ１において、現在の負荷状態が軽負荷状態であると判定された場合（ステップＳ１；ＹＥＳ）、現在のバッテリー電圧の値が軽負荷の電圧値Ｖrとしてメモリに保存される（ステップＳ２）。ステップＳ１において、現在の負荷状態が重負荷状態であると判定された場合（ステップＳ１；ＮＯ）、現在のバッテリー電圧の値が重負荷の電圧値Ｖhとしてメモリに保存される（ステップＳ３）。
【００６２】
次いで、現在メモリに保存されている軽負荷の電圧値Ｖrと重負荷の電圧値Ｖhの差の絶対値ΔＶ＝｜Ｖr−Ｖh｜＝Ｖr−Ｖhが算出され（ステップＳ４）、ΔＶが予め設定された値Ｖ３より大きいか否かが判定される（ステップＳ５）。
【００６３】
ステップＳ５において、ΔＶ＞Ｖ３であると判定された場合（ステップＳ５；ＹＥＳ）、現在使用されているバッテリーはＡと判別され、現在の通常終止電圧値Ｖ２に所定値αを加算した値が新たに通常終止電圧値として設定される（ステップＳ１２）。そして、現在の軽負荷の電圧値Ｖrが通常終止電圧値Ｖ２＋α以下であるか否かが判定される（ステップＳ１３）。
【００６４】
ステップＳ１３において、Ｖr≦Ｖ２＋αであると判定された場合（ステップＳ１３；ＹＥＳ）、バッテリーＡの末期状態と判断され（ステップＳ１６）、本終止電圧検出処理が終了する。ステップＳ１３において、Ｖr＞Ｖ２＋αであると判定された場合（ステップＳ１３；ＮＯ）、通常終止電圧値が初期値Ｖ２に戻され（ステップＳ１４）、ステップＳ１に戻り、再度、現在の負荷状態が判別される。
【００６５】
ステップＳ５において、ΔＶ≦Ｖ３であると判定された場合（ステップＳ５；ＮＯ）、軽負荷の電圧値Ｖrが予め設定された値Ｖ１より大きいか否かが判定される（ステップＳ６）。ここで、ｖ１＞Ｖ２である。ステップＳ６において、Ｖr＞Ｖ１であると判定された場合（ステップＳ６；ＹＥＳ）、ステップＳ１に戻り、再度、現在の負荷状態が判別される。
【００６６】
ステップＳ６において、Ｖr≦Ｖ１であると判定された場合（ステップＳ６；ＮＯ）、軽負荷の電圧値Ｖrが通常終止電圧の初期値Ｖ２より小さいか否かが判定される（ステップＳ７）。ステップＳ７において、Ｖr＜Ｖ２であると判定された場合（ステップＳ７；ＹＥＳ）、現在使用されているバッテリーはＣ又はＤと判別され（ステップＳ１５）、バッテリーＢ又はＣの末期状態と判断され（ステップＳ１６）、本終止電圧検出処理が終了する。
【００６７】
ステップＳ７において、Ｖr≧Ｖ２であると判定された場合（ステップＳ７；ＮＯ）、軽負荷の電圧値Ｖrと重負荷の電圧値Ｖhの差の絶対値ΔＶ＝｜Ｖr−Ｖh｜＝Ｖr−Ｖhが予め設定された値Ｖ４より大きいか否かが判定される（ステップＳ８）。ステップＳ８において、ΔＶ≦Ｖ４であると判定された場合（ステップＳ８；ＮＯ）、ステップＳ１に戻り、再度、現在の負荷状態が判別される。
【００６８】
ステップＳ８において、ΔＶ＞Ｖ４であると判定された場合（ステップＳ８；ＹＥＳ）、現在使用されているバッテリーはＢと判別され、現在の通常終止電圧値Ｖ２に所定値βを加算した値が新たに通常終止電圧値として設定される（ステップＳ９）。そして、現在の軽負荷の電圧値Ｖrが通常終止電圧値Ｖ２＋β以下であるか否かが判定される（ステップＳ１０）。
【００６９】
ステップＳ１０において、Ｖr＞Ｖ２＋βであると判定された場合（ステップＳ１０；ＮＯ）、通常終止電圧値が初期値Ｖ２に戻され（ステップＳ１１）、ステップＳ１に戻り、再度、現在の負荷状態が判別される。ステップＳ１０において、Ｖr≦Ｖ２＋βであると判定された場合（ステップＳ１０；ＹＥＳ）、バッテリーＢの末期状態と判断され（ステップＳ１６）、本終止電圧検出処理が終了する。
【００７０】
以上のように、実施形態４の終止電圧検出装置４００によれば、マイクロコンピュータ２０によりバッテリー電圧を検出してシステムを終了できるようにしたため、電圧検出のための複雑な回路を設ける必要がなく、製造コストを削減させることができる。
【００７１】
なお、上記各実施形態における記述内容は、本発明の趣旨を逸脱しない範囲で適宜変更可能である。
【図面の簡単な説明】
【００７２】
【図１】本発明の実施形態１における終止電圧検出装置の構成を示す図。
【図２】実施形態１の変形例１における終止電圧検出装置の構成を示す図。
【図３】Ａ環境とＢ環境におけるバッテリー電圧の放電特性を示す図。
【図４】実施形態１の変形例２における終止電圧検出装置の構成を示す図。
【図５】バッテリーＡの放電特性とバッテリーＢの放電特性を示す図。
【図６】本発明の実施形態２における終止電圧検出装置の構成を示す図。
【図７】実施形態２の変形例における終止電圧検出装置の構成を示す図。
【図８】本発明の実施形態３における終止電圧検出装置の構成を示す図。
【図９】バッテリーＡの放電特性と通常終止電圧の変化を示す図。
【図１０】本発明の実施形態４における終止電圧検出装置の構成を示す図。
【図１１】実施形態４の終止電圧検出装置により実行される終止電圧検出処理を示すフローチャート。
【図１２】バッテリーＡ、Ｂ、Ｃ、Ｄの放電特性を示す図。
【図１３】バッテリーの放電特性を示す図。
【符号の説明】
【００７３】
１  バッテリー
２  ローパスフィルタ
３、６、１４、１６  電圧検出器
４、５、７、１１、１５、１８、２０  マイクロコンピュータ
５ａ、７ａ、８、９、１５ａ、１８ａ、２０ａ  Ａ／Ｄ変換器
１０  差分電圧検出回路
１２  コンデンサ
１３  バイアス回路
１７  フリップフロップ
１９  直流成分検出部
１００、１０１、１０２、２００、２０１、３００、４００  終止電圧検出装置
【図１】
2005204359.tif 000003
【図２】
2005204359.tif 000004
【図３】
2005204359.tif 000005
【図４】
2005204359.tif 000006
【図５】
2005204359.tif 000007
【図６】
2005204359.tif 000008
【図７】
2005204359.tif 000009
【図８】
2005204359.tif 000010
【図９】
2005204359.tif 000011
【図１０】
2005204359.tif 000012
【図１１】
2005204359.tif 000013
【図１２】
2005204359.tif 000014
【図１３】
2005204359.tif 000015
【手続補正書】
【提出日】平成16年11月26日(2004.11.26)
【手続補正１】
【補正対象書類名】特許請求の範囲
【補正対象項目名】全文
【補正方法】変更
【補正の内容】
【特許請求の範囲】
【請求項１】
機器に電力を供給するバッテリーの終止電圧を検出する終止電圧検出装置であって、
前記バッテリーからの出力に対し、ローパスフィルタ回路で交流成分を除去することで、前記バッテリーの電圧の直流成分を検出して出力する第１の検出回路と、
前記バッテリーからの出力と、前記第１の検出回路により出力されたバッテリ−電圧の直流成分とを入力し、その差分電圧を検出して出力する差分電圧検出回路と、
前記差分電圧検出回路より出力される前記差分電圧の値が予め設定された値より大きいか否かを判定する判定手段と、
前記判定手段により、前記差分電圧の値が予め設定された値より大きいと判定された場合、前記機器のシステムを終了させる制御手段と、
を備えることを特徴とする終止電圧検出装置。
【請求項２】
機器に電力を供給するバッテリーの終止電圧を検出する終止電圧検出装置であって、
前記バッテリーの電圧の交流成分を検出する第１の検出部と、
前記第１の検出部により検出された交流成分のバッテリ−電圧から、振幅が予め設定された値より大きいバッテリー電圧を検出する第２の検出部と、
前記第２の検出部により振幅が予め設定された値より大きいバッテリー電圧が検出された場合、前記機器のシステムを終了させる制御手段と、
を備えることを特徴とする終止電圧検出装置。
【請求項３】
前記第１の検出部は、前記バッテリーからの出力に対し、カップリングコンデンサで直流成分を除去すると共に、バイアス回路で所定のバイアス電圧にクランプすることで、前記バッテリー電圧の交流成分を検出して出力し、
前記第２の検出部は、前記所定のバイアス電圧から前記予め設定された振幅を減じた電圧が検出電圧として設定された電圧検出器により、前記第１の検出部により出力される前記バッテリー電圧の交流成分が前記検出電圧以下に低下するのを検出することを特徴とする請求項２記載の終止電圧検出装置。
【請求項４】
機器に電力を供給するバッテリーの終止電圧を検出する終止電圧検出装置であって、
前記バッテリーの電圧の直流成分を検出する第１の検出部と、
前記第１の検出部により検出されたバッテリ−電圧の値が、予め設定された終止電圧値以下であるか否かを判定する判定手段と、
前記判定手段により、前記第１の検出部により検出されたバッテリ−電圧の値が予め設定された終止電圧値以下であると判定された場合に、前記機器のシステムを終了させる制御手段と、
前記バッテリーの電圧の交流成分を検出する第２の検出部と、
前記第２の検出部により検出された交流成分のバッテリ−電圧から、振幅が予め設定された値より大きいバッテリー電圧を検出する第３の検出部と、
前記第３の検出部により振幅が予め設定された値より大きいバッテリー電圧が検出された場合、前記終止電圧値を変化させる終止電圧制御部と、を備え、
前記判定手段は、前記第１の検出部により検出されたバッテリ−電圧の値が、前記終止電圧制御部により決定された終止電圧値以下であるか否かを判定し、
前記制御手段は、前記判定手段により、前記第１の検出部により検出されたバッテリ−電圧の値が前記終止電圧制御部により決定された終止電圧値以下であると判定された場合に、前記機器のシステムを終了させることを特徴とする終止電圧検出装置。
【請求項５】
機器に電力を供給するバッテリーの終止電圧を検出する終止電圧検出装置であって、
前記機器の動作状況に基づいて、当該機器の負荷状態が軽負荷であるか重負荷であるかを判別する判別手段と、
前記バッテリーの電圧を検出する検出手段と、
前記判別手段により軽負荷状態であると判別されたときに前記検出手段により検出されたバッテリ−電圧の値が、予め設定された終止電圧値以下であるか否かを判定する判定手段と、
前記判定手段により、前記軽負荷状態のバッテリ−電圧の値が前記終止電圧値以下であると判定された場合、前記機器のシステムを終了させる終了動作制御手段と、
前記軽負荷状態のバッテリ−電圧の値と、前記判別手段により重負荷状態であると判別されたときに前記検出手段により検出されたバッテリー電圧の値との差の絶対値を算出する算出手段と、
前記算出手段により算出された差の絶対値が予め設定された値より大きいか否かを判定する差分判定手段と、
前記差分判定手段により前記算出された差の絶対値が予め設定された値より大きいと判定された場合、前記終止電圧値を変化させる終止電圧制御手段と、を備え、
前記判定手段は、前記軽負荷状態のバッテリ−電圧の値が、前記終止電圧制御手段により決定された終止電圧値以下であるか否かを判定し、
前記終了動作制御手段は、前記判定手段により、前記軽負荷状態のバッテリ−電圧の値が前記終止電圧制御手段により決定された終止電圧値以下であると判定された場合に、前記機器のシステムを終了させることを特徴とする終止電圧検出装置。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
請求項１に記載の発明は、機器に電力を供給するバッテリーの終止電圧を検出する終止電圧検出装置であって、前記バッテリーからの出力に対し、ローパスフィルタ回路で交流成分を除去することで、前記バッテリーの電圧の直流成分を検出して出力する第１の検出回路と、前記バッテリーからの出力と、前記第１の検出回路により出力されたバッテリ−電圧の直流成分とを入力し、その差分電圧を検出して出力する差分電圧検出回路と、前記差分電圧検出回路より出力される前記差分電圧の値が予め設定された値より大きいか否かを判定する判定手段と、前記判定手段により、前記差分電圧の値が予め設定された値より大きいと判定された場合、前記機器のシステムを終了させる制御手段と、を備えることを特徴とする。
【手続補正５】
【補正対象書類名】明細書
【補正対象項目名】０００９
【補正方法】変更
【補正の内容】
【０００９】
請求項２に記載の発明は、機器に電力を供給するバッテリーの終止電圧を検出する終止電圧検出装置であって、前記バッテリーの電圧の交流成分を検出する第１の検出部と、前記第１の検出部により検出された交流成分のバッテリ−電圧から、振幅が予め設定された値より大きいバッテリー電圧を検出する第２の検出部と、前記第２の検出部により振幅が予め設定された値より大きいバッテリー電圧が検出された場合、前記機器のシステムを終了させる制御手段と、を備えることを特徴とする。
【手続補正６】
【補正対象書類名】明細書
【補正対象項目名】００１０
【補正方法】変更
【補正の内容】
【００１０】
また、請求項３に記載の発明は、上記請求項２に記載の終止電圧検出装置において、前記第１の検出部は、前記バッテリーからの出力に対し、カップリングコンデンサで直流成分を除去すると共に、バイアス回路で所定のバイアス電圧にクランプすることで、前記バッテリー電圧の交流成分を検出して出力し、前記第２の検出部は、前記所定のバイアス電圧から前記予め設定された振幅を減じた電圧が検出電圧として設定された電圧検出器により、前記第１の検出部により出力される前記バッテリー電圧の交流成分が前記検出電圧以下に低下するのを検出することを特徴とする。
【手続補正７】
【補正対象書類名】明細書
【補正対象項目名】００１１
【補正方法】変更
【補正の内容】
【００１１】
請求項４に記載の発明は、機器に電力を供給するバッテリーの終止電圧を検出する終止電圧検出装置であって、前記バッテリーの電圧の直流成分を検出する第１の検出部と、前記第１の検出部により検出されたバッテリ−電圧の値が、予め設定された終止電圧値以下であるか否かを判定する判定手段と、前記判定手段により、前記第１の検出部により検出されたバッテリ−電圧の値が予め設定された終止電圧値以下であると判定された場合に、前記機器のシステムを終了させる制御手段と、前記バッテリーの電圧の交流成分を検出する第２の検出部と、前記第２の検出部により検出された交流成分のバッテリ−電圧から、振幅が予め設定された値より大きいバッテリー電圧を検出する第３の検出部と、前記第３の検出部により振幅が予め設定された値より大きいバッテリー電圧が検出された場合、前記終止電圧値を変化させる終止電圧制御部と、を備え、前記判定手段は、前記第１の検出部により検出されたバッテリ−電圧の値が、前記終止電圧制御部により決定された終止電圧値以下であるか否かを判定し、前記制御手段は、前記判定手段により、前記第１の検出部により検出されたバッテリ−電圧の値が前記終止電圧制御部により決定された終止電圧値以下であると判定された場合に、前記機器のシステムを終了させることを特徴とする。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
請求項５に記載の発明は、機器に電力を供給するバッテリーの終止電圧を検出する終止電圧検出装置であって、前記機器の動作状況に基づいて、当該機器の負荷状態が軽負荷であるか重負荷であるかを判別する判別手段と、前記バッテリーの電圧を検出する検出手段と、前記判別手段により軽負荷状態であると判別されたときに前記検出手段により検出されたバッテリ−電圧の値が、予め設定された終止電圧値以下であるか否かを判定する判定手段と、前記判定手段により、前記軽負荷状態のバッテリ−電圧の値が前記終止電圧値以下であると判定された場合、前記機器のシステムを終了させる終了動作制御手段と、前記軽負荷状態のバッテリ−電圧の値と、前記判別手段により重負荷状態であると判別されたときに前記検出手段により検出されたバッテリー電圧の値との差の絶対値を算出する算出手段と、前記算出手段により算出された差の絶対値が予め設定された値より大きいか否かを判定する差分判定手段と、前記差分判定手段により前記算出された差の絶対値が予め設定された値より大きいと判定された場合、前記終止電圧値を変化させる終止電圧制御手段と、を備え、前記判定手段は、前記軽負荷状態のバッテリ−電圧の値が、前記終止電圧制御手段により決定された終止電圧値以下であるか否かを判定し、前記終了動作制御手段は、前記判定手段により、前記軽負荷状態のバッテリ−電圧の値が前記終止電圧制御手段により決定された終止電圧値以下であると判定された場合に、前記機器のシステムを終了させることを特徴とする。
【手続補正１０】
【補正対象書類名】明細書
【補正対象項目名】００１４
【補正方法】変更
【補正の内容】
【００１４】
請求項１に記載の発明によれば、バッテリーからの出力と、ローパスフィルタ回路で交流成分を除去した直流成分とを入力し、その差分電圧を検出して出力する差分電圧検出回路を設け、この前記差分電圧検出回路より出力される差分電圧の値が予め設定された値より大きいと判定された場合にシステムを終了させるようにしたので、バッテリーの適切な終止電圧を検出することが可能になり、また、バッテリーの寿命を延ばすことが可能になる。
【手続補正１１】
【補正対象書類名】明細書
【補正対象項目名】００１５
【補正方法】変更
【補正の内容】
【００１５】
請求項２に記載の発明によれば、バッテリーの電圧の交流成分を検出し、この交流成分のバッテリ−電圧から振幅が予め設定された値より大きいバッテリー電圧が検出された場合にシステムを終了させるようにしたので、バッテリーの適切な終止電圧を検出することが可能になり、また、バッテリーの寿命を延ばすことが可能になる。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】変更
【補正の内容】
【００１８】
請求項４に記載の発明によれば、バッテリーの電圧の交流成分の振幅が予め設定された値より大きい場合に、終止電圧値を変更可能にしたことにより、バッテリーの適切な終止電圧を検出することが可能になるとともに、より自然にシステムを終了させることができる。
【手続補正１５】
【補正対象書類名】明細書
【補正対象項目名】００１９
【補正方法】変更
【補正の内容】
【００１９】
請求項５に記載の発明によれば、軽負荷状態のバッテリ−電圧の値が終止電圧値以下であると判定された場合にシステムを終了させる終止電圧検出装置において、軽負荷状態のバッテリ−電圧の値と重負荷状態のバッテリー電圧の値との差が予め設定された値より大きいと判定された場合に、前記終止電圧値を変化させるようにしたので、バッテリーの適切な終止電圧を検出することが可能になるとともに、より自然にシステムを終了させることができる。
【手続補正１６】
【補正対象書類名】明細書
【補正対象項目名】００４２
【補正方法】変更
【補正の内容】
【００４２】
コンデンサ１２は、カップリングコンデンサであり、バッテリー１の電圧の交流成分を検出する。図７の点Ｘにおけるバッテリー電圧Ｖbattの波形を図７（ａ）に示す。バイアス回路１３は、直列に接続された２つの抵抗から構成され、コンデンサ１２から入力される交流成分の電圧値をバイアス電圧値Ｖbiasにクランプする。バイアス回路１３の点Ｙにおける電圧の波形を図７（ｂ）に示す。